(57)【要約】 【課題】従来のテレビは薄型がの省エネルギータイプが主流で有り、ガステレビは、ブラウン官しかないためシャープの液晶が支流になったため特許料が超高値になり過ぎて弱者国民には手の届かない商品に成りつつあった。【解決手段】曲面反射板ブラウン管をネオンガスと固形窒素と電気の通るプラスチック混合合成したパネルの横又は上下からライト光で照らして映像ノーマル信号を偏向回路まで、テレビパターンとして、ネオンパネル及びクリスタルガラスに映像電気信号偏向回路電気電波のプラス配線マイナス配線を繋げてネオンパネルとクリスタルガラス1ミリから2ミリの間にネオンガスを入れて映像電源を入れて画像を写し出せるテレビ画像著作権原本。【選択図】図1
2012094548.tif 000002
【特許請求の範囲】
【請求項１】
本先知的所有財産の先発明は、今まで、ガラスブラウン管角度を変えた短いブラウン官装置までが限度であったが、更に短いブラウン官として、収納可能な光りフアイバー官を使用したブラウン管としては、世界で一番短いブラウン官装置。
【請求項２】
本先知的所有財産の先発明の電波画像装置の画像電波の乱れを正常なつまり、カメラに写し各家庭のテレビに送る前の正常なカメラに写し出された映像をそのままの状態をテレビ画面上に乱れた電波を、圧電素子磁気4電子分割装置で正常な電波として、圧電素子磁石に乱れたテレビ波を通し正常な圧電素子磁気体の正常な電波の並びに置き換える圧電素子磁気4電子分割装置又はテレビ電波を正常な電波に置き換える圧電素子磁石体装置。
【請求項３】
本先知的所有財産の先発明のテレビ波画像の映像電波は、電波受信された、後映像波と音声波に分けられ更に圧電素子磁気磁石で、正常な電波に直すのであるが、更に映像波の微妙な映像色の調整をするために、画像素子体つまり、アルゴン及びネオン及びヘリームの画像を映し出すための映像ガス物質に充電池素子体を混ぜて固形画像物質体とした、画像チップをテレビ映像回路に取り付ける事で、カラー画像などの微妙な色合いの調整を簡単に出来るようにした、画像微調整出来る画像ガス物質と充電池素子体を合成した画像微調整装置。
【請求項４】
本先知的所有財産の先発明の携帯電波を使用したテレビの録画の予約を携帯電話のボタンを使用してテレビ録画出来る携帯波テレビ録画装置。
【請求項５】
本先知的所有財産の先発明のテレビに備え付けられているテレビと一体になっているカメラは、違法侵入者に対して全自動で警告画像を流し、犯罪を広げない用にくい止めるテレビカメラ全自動画像装置と連動した携帯電話にテレビカメラ画像侵入者の確認及び録画通報を、テレビ一体カメラ携帯波全自動システムによって、犯罪を最小限にくい止める事が出来る装置。
コメント
2008年6月5日PM13時24分47秒北友建機に日報を美馬牛郵便局から送る墫野
京極の荷物は、12時頃二つとも付く。明日は再び失業認定再開でなければ飯は食べれない。
【請求項６】
本先知的所有財産の先発明は、機械式発電機及び二連振り子型機械式発電機などの無害無給油連続ダイナモ作動発電機の電気で、テレビ電力が賄える電気を発電供給出来る発電機をテレビサイドに一体化した発電機付きのテレビ装置。
コメント
2008年6月7日AM8時51分40秒ブラウン官の厚みが未だ未だ厚いため、他の携帯電話などに使用出来ないため、液晶などの特許使用利用料金が、高く付くそのため、どうしてもガス使用のブラウン官を薄くする必要性に迫られる。まだ、考案の段階、ただし試作して少しでも写れば特許請求になる、だが、試作の金なし、特許提出の金なしとんでもない時代である。
【請求項７】
本先知的所有財産の先発明は、ブラウン官自体を更に薄くするために、ブラウン官の曲面反射鏡の部分を平面にするために、正方形筒状の複数の圧電素子磁石体は、圧電素子磁石体配線の入った絶縁体で区切られ、画面部分に当たる複数圧電素子プラス磁石面は、ネオンアルゴンヘリュームなどの、発光物質と電気の通る白色のプラスチック溶液と混合させて薄くペーパー状に延ばした電気の通る発光プラスチック紙を圧電素子プラス面に張る第一作業そして、マイナス面として、ブラウン官のガラス面に当たる部分の平面クリスタルガラス内側に、電気の通る透明のプラスチック溶液を同じくペーパー状にした物をクリスタルガラス内側に張るのが、第二の作業。これらの作業が終えた上で、圧電素子プラス面とクリスタルガラスマイナス面の間を1ミリから2ミリの透き間を空け、その中に今までと同じブラウン官に入っていたアルゴン及びネオン及びヘリュームガスつまり、圧電素子プラス面に使用した同じガスを入れる第三作業従って、第一作業と第二作業と第三作業を行った上で、偏向回路映像プラス波は、複数圧電素子プラス面の先に取り付け、偏向回路映像マイナス波は、クリスタルガラス内側マイナスの電気の通る場所に張り、映像電波を流し更に複数圧電素子磁石体に電気を流し更にクリスタルガラス周囲を複数の圧電素子を並べたクリスタルガラス中央面に対して圧電素子全てをプラス面を向けて、圧電素子磁石全体の磁力をプラス電気を流す事によって、クリスタルガラス面に映像が写る事となる超薄型のブラウン管テレビ映像装置。
コメント
2012,年2月5日pm18時44分著作権上、電波の通る官は、光ファイバー官だけで無い為、あらゆる電波の通る官の著作権説明の為、追加説明の、著作権文書の特許請求項を、書く事にする墫野和夫で有る。
【請求項８】
本先知的所有財産の先発明は、ブラウン管の電子放電スピードを、上げる為に、スクリュー状のクラスファイバー官のブラウン管の電子放電官は、電子スピードを、速くする為に、スクリュー官形状のグラスファイバー官などの、電波が、通る物質全てを、使用した電波と電子波の高速スピードを、目的とした収納し易いスクリュー電波官物質を、使用積載した請求項1及び、請求項2及び、請求項3及び、請求項4及び、請求項5及び、請求項6及び、請求項7記載の超薄型のブラウン管テレビ映像装置。
コメント
2008年6月8日PM15時26分1秒図面の段取り終え要約書き終えた後コピーを取って6月9日に美馬牛郵便局から送る予定カンキチ
【発明の詳細な説明】
【技術分野】
【０００１】
コメント2008年6月5日PM13時45分29秒最近著しくテレビとビデオの写りが良くなり、すさましい位の電気製品の画像分野技術である。所が商品に対して特許技術番号又は特開技術番号が、明示されてないばかりか、企業パンフレットにも、特許技術番号が書かれていないばかりか、特開技術番号が一切書かれていない。
更に企業に電話問い合わせしても、知的所有権技術番号だけでなく、特開技術番号の公開義務が、ないばかりか罰則規制も知的所有財産横領又は先知的所有財産詐欺の言葉が、先知的所有財産の先発明確認をするためには、特許提出の料金支払いの上での日本及び海外の先技術確認する手立てがない現状である。
弱者切り捨ての特許庁と経済産業省の考え方に対しては、言ってもわかっていただけない以上裁判所での決着を望むのも、特許庁及び経済産業省である事実は今だ変わらない。
本知的所有財産の本先発明は、一般家庭のテレビに無害無給油連続ダイナモ作動発電機を一体型内蔵し、更に圧電素子体及び充電池素子体を使用した先発明技術のテレビ画像全自動修正物質説明とブラウン官を更に短くする先技術説明とテレビと一体になったテレビ画像とカメラ携帯確認による、不法侵入による物損被害をくい止める対策に関するテレビと携帯システムに関する技術説明。
【背景技術】
【０００２】
コメント
前置き、特許法187条特許表示に対して義務化されていないために、特に画像を奇麗に写し出す装置説明を企業から聞く事が出来ない。帰って来る言葉は、企業秘密のため無理との事であるそうです。
いずれにしても、知的所有財産の公開ばかりでなく、先発明を重要視するのか、先発明を無視して後発明全世界特許提出を優先するのか、現在の特許法では裁判所裁判対決まで、来てしまったようである。
従来の家庭用テレビの画像修正装置らしき中にエンジンと書かれているがエンジンとは圧電素子を使用した電波の圧電素子磁気電子磁石を使用した電波の磁気修正装置なのか、其の他、確かにアルゴン及びネオン及びヘリュームガスなどの発光ガスに電池素子体より、充電池素子体と発光ガスを混合させた固形物質に映像波を通して、画像を奇麗に見せる技術なのかそれとも、経済新聞のNECの有機EL発表にしても、特開番号一つ新聞に公開せず、企業商品パンフレットにも、特許番号及び特開番号の明示がないため、誰が先に発明したのか解りずらいだけでなく、知的所有財産の先発明先発明確認の優先主張が出来ない2008年の現代の先発明確認が出来ずらい特許法187条努めなさいでわなく義務ずけ特許法律でなければ、弱者貧困層と金持ち社会層の生活の格差を無くさない限り、人権無視が心配される今日この頃である。
(例えば特許文献1参照。)(図11及び図15及び図17及び図19及び図21参照。) 
コメント
特許文献1の特開2004ー304992号広報の原本は、まだまだ実際には有りますが、必要最小限だけ北海道道庁郵便物受理書に基づいて先発明及び先発明の日の郵便物受理証明に基ずいて公開します。
その上で先発明財産保護の法の平等な采配を受ける裁判しかないと今感じてます。
2008年6月5日PM18時43分7秒先発明の先知的所有財産に基づく特許書きで、人は救えるのか法の番人に聞いて見たい。
そして2008年原油高そして、何もかも値上がりするだけの世の中法に訴えてでも白黒はっきりさせなければならない、先発明保護の特許庁及び経済産業省の先発明保護の趣旨表明によって先発明及び先考案の重大性を理解していただきたい。
更にその中でも、特許表示の特許法187条を努めなさいから義務化とし守らなかった大学個人5000万以上の罰金(理由として、大学教授平均一生涯かかって働く金額この場合の理由、過去に南極原子力観測船を作る際に国の3年~5年分の国の予算額を、大学の教授に支払った事実が有り、理由として原子力特許または、原子力の知的所有財産があったためと、考えられる。
其のうえで、日本の企業の現在までの発展は、原子力発電特許料金だけでなく、海外原子力売電事業利益による、世界企業株買い占めによる日本企業または外資系日本企業の発展は、言うまでもないマスコミすら、これ以上口に出して言わない決まりとなってしまった昨今企業賠償を求める場合も、賠償金額を積まなければ裁判が、出来ないのも現実の日本の世の中である。
ただし賠償請求に対しての裁判費用は、ゼロ円に改正もしくは、先発明の徹底保護として、先発明横領罪と先発明詐欺罪の適切な適用の必要性を求めます。
理由 
企業に賠償請求の裁判をかける場合金を積まなければ裁判が、出来ないとは平等な人権を逸脱しているのも言うまでもないが、国民一人一人も考えて見て下さい。
コメント
2008年6月5日PM19時35分8秒日本の国の経済借金全額返済もう一度考えて下さい。2008年現在原油高、益々国民一人一人が、国の借金全額返済が、無理だとしか言えない状態である。
外資系の世界トップクラスの原子力資産家達にマスコミ公開上に出て今後の日本の未来に対して聞いて見るのも、経済産業省の国民一人一人が、裕福になる方法の大学工学部原子力名誉教授並び博士達に金の裕福になる方法を国民一人一人に伝授していただきたく書き留めておきます。
【０００３】
以下図1と図2と図3と図4と図5と図6の現在のテレビ技術との比較による先発明技術差を検証していきます。
従って図1の(2)テレビスイッチと(3)そしてテレビスピーカー(5)そしてテレビ電気コード配線(7)そしてブラウン官は、誰でも知っているテレビ構造及びテレビ部品名で有ります。
その上で、機械式発電機(6)は、(特許文献2参照。)(特許文献3参照)(図36と図38参照)これら文献に書かれているダイナモ連続作動の機械部品だけ使用した発電機で有り、(21)は携帯システム受信アンテナ(図36と図37参照。)携帯電話の設定の欄を開き自分流設定を開き次に携帯電話スイッチガス電動仕切り弁及び携帯電話スイッチ風呂水電動仕切り弁水位センサーチエック及び風呂水位センサー全自動風呂設定温度炊きまで、携帯電話スイッチ一つで、家の中の作業を電動モーター仕切り弁の複数使用水位センサースイッチ使用など携帯電話スイッチによって全自動作業が出来るシステムを一例として上げましたが、図1の(4)の携帯システム受信アンテナは、テレビ録画予約を、携帯画面上の設定を開いてテレビ録画予約を行ったり、家の中のあらゆる種類のセンサー留守中の不法侵入者を、赤外線カメラ又は温度認識カメラのカメラダイオードセンサー反応によってテレビスイッチが、入り携帯電話から、不法侵入者に自首をテレビ音声次に家の明かりが付き家に付いてる他のカメラは、不法侵入者のカメラ撮影画像を家主又は警備会社に連絡する概略システム説明。
図2於いて、(1)省エネルギー高画質テレビの(5)のテレビ電気コード配線及び(7)ブラウン官は通常通りの構造で有り、(9)ブラウン官冷却材装置は、安値の固形窒素の使用が望ましい更に、(8)の光りフアイバーブラウン官は、ガラス官の屈折限度と光りフアイバー官を、冷却材で、冷やす考え方である。
更に(8)光りフアイバー官の説明を始める。映像信号(ノーマル信号及びデジタル信号などの映像信号)は、光りフアイバー官の手前で輝度調節回路及び帰線消去回路までを一つの回路基板もしくは1Cブロックとする。
問題は次なる集束調節回路から複数の光りフアイバー官を束にした装置としブラウン官最終地点の変更回路まで、複数の光りフアイバー官を使用して集束調節回路の映像の光り信号のブラウン官の長さを短くする工夫にしか過ぎない事実である光りフアイバーブラウン官装置説明。
図3と図4の説明に於いて(10)の圧電素子4電子磁気分割装置は、(5)の家庭電気及び(6)機械式発電機に最初の発電時などの電気中に含まれてる電気熱抵抗電気だけを電気中から圧電素子の磁気電子4分割方式によって取り除く装置(特許文献1参照。)によって、超電導配線を使わなくても、超電導と同じ意味の電気抵抗なしの電気が、流れる説明に至る今までの世界電気文化を塗り替える説明が有ります。
(特許文献1の特開2004ー304992号公報の自主補正文を読んで見て下さい。解りやすい様に自主補正して有ります。)。
従って、圧電素子は、電気中の電気抵抗だけ取り除くだけでなく、電気の流れを圧電素子磁気に一度電気を通すだけで、電気の流れを磁気電気分割化してしまう事は電波に対しても、
磁波の乱れからテレビ波など、あらゆる電波の磁波の乱れの電波を圧電素子磁石体に一度プラス電波とマイナス電波に分けて流すだけで、乱れた電波は圧電素子磁気によって、正しい流れの電波になるのは、圧電素子磁石の特性を利用した、超電導の原理の根本まで変えてしまう先発明の事実を理解していただきたい。            (図9から図35参照していただきたい理由として圧電素子4電子磁気分割装置の特許提出までの経緯及び特開2004ー304992号公報の発明の応用及び活用方法の説明図。)。
図5の説明に入る(12)は、ダルマ型デザインのテレビチャンネルボタン装置。次に(13)はテレビリモコン入力切り替えスイッチのダルマ型デザインスイッチで有り、(14)画面表示ダルマデザイン型ボタンで有り(15)消音ダルマ型デザインボタンで有り、(16)音量ダルマ型ボタンで有り(17)は二画面ダルマ型切り替えボタンで有り(18)テレビダルマ型文字伝言板書き込みスイッチボタンで有り(19)は不法侵入者ダルマ型カメラシステム作動スイッチボタンで有り(20)文字記録ダルマ型呼び出しボタンまでがテレビリモコンスイッチボタン説明である。
図6の説明に入る(21)は不法侵入者監視カメラシステム装置であり、二種類のカメラつまり、魚眼レンズの赤外線カメラか又は温度センサーカメラを使用しているのが、第一の特徴で有り、第二の特徴として、凸レンズカメラ使用のカメラは、人相の特徴などを判断するためのカメラ装置で有り、これらのカメラ画像は、携帯電話の液晶画面確認と警備会社のテレビモニター画面につながってるばかりでなく、不法侵入者にそれ以上の犯罪を起こさない様にテレビスピーカーから、犯罪を重ねると刑法上思わしくない事態になる事を、携帯波を通じてテレビ画像を通じて自首を進める事の出来る全てダルマ型デザインのスイッチを使用した不法侵入者監視カメラシステム装置。
コメント
2008年6月7日AM10時11分42秒昨日急遽決めたのは、超薄型のガス入りのブラウン官の先知的所有財産の先知的所有財産請求文章を書く事を決めたのは、携帯電話及びナビゲイションロボットテレビパネルなどに、数多くの他人の先知的所有財産を入れなければ、商品化にならない事が現実のためである。
2008年6月7日AM11時40分27秒先発明原本の写し及び北海道庁知事の先発明郵便物受理書の整理複写調達後再び美馬牛で墫野が書く。
図7の説明に入る(22)は、圧電素子正方形筒状の絶縁体区切りの複数磁石体に電気配線及び電気コイルを巻いた圧電素子磁石装置で有り、(24)圧電素子のプラス電磁石面に、ブラウン官ガスのテレビ映像装置にするためにネオンガス及びアルゴンガス及びヘリュームガスなどの発光ガスと電気の通るプラスチックを混合した発光ガスシールもしくはガス封入パネルまたは圧電素子磁石プラス面の溶液接合などの処理を行い、偏向回路映像プラス電波電極の電気ガス映像処理した、偏向回路映像のプラス電波電極処理システム装置。
図8の説明に入るクリスタルガラス(26)は、図7が、内側に入る構造を有して入る。
更に、クリスタルガラス内側にマイナス電極を設けるに中って(27)電気の通る透明なプラスチック材が必要になるため、ネオンガス及びアルゴンガス及びヘリュームガスなど特に一番多く使用されたネオンガスと電気の通るプラスチックを混合合成したパネルなどを、クリスタルガラスの内面に張り(29)偏向回路映像マイナス電波を流す事になるのだが、(26)クリスタルガラスの横面に中る周囲全部に(22)圧電素子磁石体のプラス電極全てがクリスタルガラス中央部に向く様に(22)の圧電素子磁石体全て絶縁体付きで並べた構造で有り、
更に、図7の装置と図8の(26)のクリスタルガラスとの透き間が、1ミリから2ミリに成るように据え付ける。
従って、1ミリから2ミリの透き間にネオンガスなどを入れる特許請求項構造に成って入る
後は、偏向回路映像プラス電波の(22及び23全体を示す)部分に流れるプラス画像映写体部分と偏向回路映像マイナス電波すなわち(26)クリスタルガラス内面にマイナス偏向回路映像マイナス電波を流す事で、固形のネオンガスと気体のネオンガスが、圧電素子磁力圧によって映像が写し出される構造説明。
[図36と図37]携帯電話家電及び水道及びガス及び風呂及び電気ストーブスイッチなどの
、あらゆる電気製品のスイッチのONとOFFの携帯電話スイッチ切り替えシステムの先発明証明書。
[図9から図35まで]特開2004ー304992号公報の応用活用説明である。
コメント
2008年6月6日PM24時35分28秒特開2004ー304992号公報をより良く理解していただける様に先発明年月日時間そして、発明した場所が書かれた原本図面を添えた先知的所有財産だが、日本の全国の大学知識人に理解していただけるかが日本の未来の名案の最初の別れ道でも有る事に対して本当に理解していただきたい。
コメント
2008年6月6日AM7時26分37秒車の廃車手続き及び失業の再手続きそして買い物。美馬牛は、曇り空、現在家にあるテレビは、ブラウン官テレビ電気消費が多すぎるのも欠点、そして重すぎるのも欠点そして、高圧回路この部分は、電気消費の一番多い場所で有り、液晶以外何か考えなければ、折角の光りフアイバー官無駄になりそうただし、特許切れ安い契約でもかなりテレビ構造変え考えなければならない。複数四角形絶縁体付き圧電素子磁石を敷き詰め静電気とアルゴン及びネオンガスなどを今までのブラウン官テレビのガス量より少なくして、高圧回路の電圧を下げるために圧電素子磁石体にそれぞれ回路パネル配線としプラスならプラスだけの圧電素子パネル面に流れプラス電気の複数圧電素子を使用するにあたって電気と磁気電気が通る白いプラスチック液を塗る又は張る。
その上でマイナス電気の部分をレールモーター使用の静電気発生装置の静電気を圧電素子コイルの電源として自動電池の電気循環圧電素子コイルとした場合静電気発生装置から発生された静電気は、プラスとマイイナスに別れマイナスの導電性静電気二枚合わせの片方内面は電気の通るガラス外側は、電気の通らない絶縁ガラスとしたクリスタルガラスの内側に塗るつまり無色透明の導電性物質の静電気のマイナス部分だけ流れやすくする。この場合をネオン及びアルゴンのガス中にマイナス静電気を流す方法である。  
ガラス外枠圧電素子プラス磁気圧でガスの流れ圧調整でも長持ち出来ないのかこのテレビ映写方法。
静電気が無理ならば、マイナス電子を放電する方法(電子レンジの電子放電テレビなら写るはずである。
改良していかなければならない点が、多いのも課題である。
特許料金がかからず及び安い著作権料金のみで済むテレビが一台出来ないのか課題墫野。
【先行技術文献】
【特許文献】
【０００４】
【特許文献１】特開2004ー304992号公報
【０００５】
【特許文献２】特開2003ー328925号公報
【０００６】
【特許文献３】特開2006ー254697号公報
【発明の概要】
【発明が解決しようとする課題】
【０００７】
以上に述べた従来のブラウン官テレビでは、ブラウン官の長さが有り過ぎてガサばる点で、問題であり、高圧回路の部分で、電気が少し食い過ぎたのも欠点であり、コメントの先考案もあるが、無試験であるため、液晶以外のテレビの省エネルギーも問題である。
【０００８】
本先知的所有財産の先発明は、このような従来のテレビ構造の構成が有していた問題を解決しようとするものであり、輝度調節回路から偏向回路までの間を極端に短くするために、光りフアイバー官を使用して電源を(特開2003ー328925号公報)の機械式発電機又は(特開2006ー254697号公報)の二連振り子型機械式発電機の発電機と更に電気使用消費率を下げるため、(特開2004ー304992号公報の電気中の電気抵抗を取り除く装置)の使用によって、省エネルギーテレビの実現する事を目的とするものである。
コメント
2008年6月6日AM9時55分16秒旭川行き美瑛行きの段取りのため、ここで一時ストップする墫野。
コメント
2008年6月7日AM9時55分13秒電気の通るプラスチックとネオン又はアルゴンガスなどの混合物質のペーパーもしくは溶液だけでも、テレビ画像は、ぼやけてでも写るはずであり、墫野和夫が、先知的所有財産として所有している圧電素子4電子磁気分割の電気抵抗なしの電気を使用した映像電波を流す事によって、テレビ画像状態では、かなり良くなるはずで有る。
コメント
2008年6月7日PM13時29分58秒先知的所有財産請求項すなわち、全世界の特許関連すべての先知的所有財産の外国語から全て日本語訳で、日本人全てが見れる様にするための日本の国への先知的所有財産の請求項説明で有り、特許法第一条の発明考案の保護の再確認を知的所有裁判所で、行うしか手立てがないのか今再び1998年頃からの先知的所有財産の書き残し財産の先発明の有り方を、全ての日本企業に聞かねば成らない時代が来ただけでなく、
特許法及び先知的所有財産の先発明財産の平等の扱いが出来ていない現在の説明を企業一人一人全てに聞かねば成らない時代とは、先発明つまり先知的所有財産なしでは、日本の国又は地方全体の借金全額返済が、出来なくなる事態に対しての日本国の先発明保護の矛盾した特許法及び知的所有財産の有り方を、全企業及び全大学全て一人一人に聞かねばならない時が来たのが明らかである。
【課題を解決するための手段】
【０００９】
そして、本先知的所有財産の先発明は上記目的を達成するためにテレビ波の特許切れのノーマル映像信号テレビ波を輝度調節回路及び帰線消去回路及び集束調節回路及び偏向回路までを光りフアイバアー官で映像信号連絡手段とした映像信号連絡方法。
【００１０】
また、第2の課題解決手段は、テレビ消費電力を家庭配線電気に頼るばかりとせず、特開2003ー328925号広報の機械式発電機並びに特開2006ー254697号広報の二連振り子機械式発電機などの無害無給油連続ダイナモ作動発電機を一体化積載した光りフアイバー官テレビ装置。
【００１１】
また、第3の課題解決手段として、不法侵入者の犯罪を最小限にするために、携帯電話システムと全自動携帯電話受信送信可能な赤外線カメラ及び温度ダイオード確認カメラ及び広い場所を一度に見れる魚眼レンズカメラ及びとつレンズカメラなどを使用した赤外線ダイオード反応センサースイッチによって自動ライト点灯及びテレビ電源自動スイッチオン更に
警備会社自動カメラ連絡及び携帯電話自動連絡が出来て、携帯電話からテレビ画像を通じて不法侵入者に対して犯罪を重ねる事をやめさせるテレビ文字連絡及びテレビ音声連絡が出来る不法侵入者犯罪防止装置。
【００１２】
また、第4の課題解決手段としてブラウン官の光りフアイバー官装置を冷やす為に、冷却材又は固形窒素冷却材を使用したテレビ冷却装置。
【００１３】
また、第5の課題解決手段として図3及び図9~図23ならびに図32並びに図38並びに特開2004ー304992号公報自主補正文章参照の電気中の電気抵抗だけを取り除く為に、圧電素子4電子磁気分割装置によって、テレビ電気消費の節約及びテレビ回路熱劣化防止の目的としている装置。
【００１４】
また、第6の課題解決手段として図4及び図23から図27そして図31そして図33そして図34そして図39~図40のネオンとアルゴンとヘリームと水銀と充電池素子を混合合成又は内側は、ネオンガスが外に出ないように注意する事とし更に電池素子は、充電池素子を使用する理由には電池素子は、充電出来ないため、電気が通りずらいと思われる事も、視野に入れてノーマル映像電波をより美しく写す工夫は、圧電素子4電子磁気分割は、磁気電気の分割方法だけでなく、圧電素子磁気磁石構造が、絶対に変わらない磁石体構造に対して映像電波自体が、最初にカメラが捕らえた記憶まで、正確に呼び戻す事が出来たのは圧電素子磁石と充電池素子つまり、充電池もプラスとマイナスの電極を持ち得てるばかりか、充電池自体は、電気を充電出来る物質で有り、だが充電出来ない電池素子は、電気を使い終えた後は効果は、消えてしまう計算ばかりか、電気を通さない物質になってしまう。そのため、充電池を使用したネオンなどの一般に多く使用されて入るネオンを混合した充電池素子をテレビ映像信号回路部品とした映像乱れ自動処理装置(二重像の更なる最初のカメラが写し認識した色合いまでの適切色合いを含めたスパーゴースト装置とも言って置きます。)つまり、磁波などの乱れによって生じた電波を正常に見るための乱気流電波障害などの電波を正常電波に自動修正出来る装置も、図3の圧電素子4電子磁気分割装置と図4の一種類などのネオンガスなどと充電池素子合成に至っては、更に映像信号電波が、電気に沿った電波の流れを越えた映像電波が、電気と融合した電気融合適切映像信号波を作る事を目的とした電波自動修正装置。
【００１５】
また、第7の課題解決手段として図5のテレビ画像携帯電話文字電波書き込み呼び出しボタンは、不在中の家族が、不法侵入者などの事故がなかったかなどを赤外線カメラダイオード物体確認センサーによって、カメラ自動録画された画像をリモコンボタン一つで、確認出来るシステム装置。
【００１６】
また、第8の課題解決手段として図の7図の8の説明をする。現在でも使用されているブラウン官テレビは、ブラウン官部分が厚すぎて携帯電話又はナビゲイション又は飛行機積載のテレビなどの使用に対しては薄くそして軽量化は、誰もが求めていた技術で有り、液晶技術に少しでも近付くために、ガスブラウン官を世界で一番薄くする技術挑戦をこれから書きます。
従って、液晶テレビは発光ダイオードを使用しているのが特徴で有り、今回ガスブラウン官を薄くする技術として、図7の複数の圧電素子磁石体正方形筒形ブロックは、磁気電圧を上げるために圧電素子コイル磁石として更に圧電素子磁石それぞれを絶縁体によって絶縁を行い、圧電素子磁石体のプラス磁石面は、そのままネオンガスなどを入れてもまだ、画像が写らず、写すためにネオンガスと電気の通る白色の形状の電気の通るプラスチックを合成超薄パネル又は白色の電気の通るプラスチックとネオンガス合成溶液を圧電素子プラス電極面に薄く延ばして固定させて、偏向回路映像プラス電波を流せるようにした装置であり、図8のクリスタルガラス(26)は、ネオンガスの偏向回路映像マイナス電波が、ネオンガスと融合しやすいようにクリスタルガラスの内面に無色透明のネオンガスと無色透明の電気の通るプラスチックを内側に溶液接着又はネオンガス合成プラスチックパネルを貼る事とし更に、偏向回路映像マイナス電波を流す事によって、偏向回路プラス電極パネルと1ミリから2ミリの空間に入れるネオンガスの映像信号電気電波のネオンガス融合電気発光映像は、取り敢えずこの状態でも、写るのであるが、ネオンガスパネルだけでは、テレビ映像ノーマル信号電気電波映写が、奇麗に写し出せない対策として、更なるネオンガス注入の日本ゼネラル電気社再技術投入によって更なるテレビノーマル信号電気電波映像が、ネオンプラスチックパネル以上にテレビ映像写りが、更に美しく写る事を願う技術公開で有り、入れたガスが古い真空官テレビは中央の真空官更に、液晶テレビでは、バックライト技術そして、今回初めて登場する他人の世界で知られて入る電気消費の少ないダイオードライトをテレビ四方向から鏡もしくは複数ダイオードライトテレビ圧電素子電磁石プラス面の白色面に映像を写し出す技術のガス映写ライト補正技術手段として上下左右から超小型ライトを照らしてテレビ画像を写し出す技術と圧電素子磁気波ガス波固定技術として、圧電素子磁石磁気波固定技術の効果を期待し超薄型ガステレビ復活を願う事と、液晶テレビとの再技術競争によって、弱者国民により安くて使い良い薄型テレビを提供する事を目的としている。
コメント
2008年6月7日PM18時43分30秒課題を解決するための手段として新しいネオンガスと固形ネオンガスの二つを使用した液晶テレビのバックライト技術とは異なった技術としてサイドつまり横からライトを照らす技術だが、ネオンガスをあくまで使用するため、液晶劣化とガス劣化の比較を言われるとガス劣化の方が先になる。つまり、未だ未だ液晶技術には勝てない面が、たくさんある。墫野和夫ニャンカンキチ木白子の再びなる挑戦。
コメント
2008年6月7日PM20時7分更なるガスブラウン官テレビ無試作品新技術紹介してネオンガスと固形窒素を合成した蜂の巣状のパネルにネオンガスを入れて回りをクリスタルガラスで囲んだ装置がまず、固形のネオンパネルとネオンガスの二つを使用したテレビ画像装置に後ろのバックライトは液晶バックライト技術の為に使用せず、ネオンガス合成パネルが少し厚く成るが止む終えない技術とし、発光ダイオードは、シャープが先のはずで、発光ダイオードもパネル使用しない技術として捕らえなければ成らない。ただしサイドつまり横のダイオードライト使用もままならぬ場合の対策として、ネオンガス窒素固形パネルのテレビ画像パネル。
液体固形窒素クリスタルガラス合成もしくは二重構造のクリスタルガラスに液体窒素内蔵したガラス使用のネオンガスと固形窒素合成のパネルの蜂の巣状の中にネオンガスを入れて映像ノーマル波の偏向回路の映像波のプラス波マイナス波それぞれを上下左右いずれかに設けた装置ならば、テレビ電気熱で、電気の通るプラスチックが、溶ける事もない。
更に電気の通るプラスチックの熱対策として、複数の穴空きクリスタルガラスをクリスタルガラス側に貼る対策。
又は、クリスタルガラス面に偏向回路を貼る考え型もしくはぐる輪に偏向回路マイナス電極をもって行く考え型でも良い。
更に、固形ネオンガス対策として、固形窒素プラスチックを穴空き筒構造の中に固形窒素合成ネオンガスと電気の流れるプラスチック合成テレビ映像パネルの微細粒穴のクリスタルガラス針穴開発と最後に圧電素子面のクリスタルガラスの上の部分5ミリ程度空けてネオンガスが、合成窒素ネオン物質にネオンガスが回る方法でも良いが更に0、3ミリ程度テレビ画像面が厚くなると考えられる。
電気抵抗取り除き装置を使用したライトにおいてもガラスとダイオード合成のダイオードライトに近いライトの玉切れを防いだ最近のライト玉使用のサイドライトの考えしかテレビ使用温度に耐えれるテレビ画像パネルは、最終的には試作品結果次第の新しいテレビ画像選択となる。
先知的所有財産の名称説明今までのブラウン官では、ブラウン官全体の長さが長いため、短いブラウン官装置技術を光りフアイバー官に置き換えた装置。
前書き
特許表示特許法第187条の現状公開事実に対しての先知的所有財産確認方法
理由 特許法第一条に基づく先知的所有財産の先発明先考案の保護の重大性の国民の目の確認
先知的所有財産発明の経緯
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんの言い方にも聞こえてくる特許庁の平等な人権になっていない、特許提出と特許認定と特開公開表示義務つまり先知的所有財産権の公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、個人それぞれから、話を聞く時代が実際に来てしまった事。
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させる為のテレビ発言で墫野和夫が、先知的所有財産の内の発明と考案の略図及び文章を、北海道知事に郵便手紙確認保管してもらう。この事は信用の有る民主党本部共産党及び朝日テレビなどにも、現在の子供達に借金苦を、味合わせないために、行った事である。
先知的所有財産公開提出の意図
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をひとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的所有財産者が、同一の後発明又は後考案又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を、複数の者が作った場合、国の財政経営に対してインフレとデフレを、同時に二つ作る事となり、知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図   2008年5月1日21時3分自宅美馬牛
知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)商標、商号その他事業活動にもち入れられる商品又は役務を表示するもの及び営業秘密その他の事業活動に有用な技術上又は営業上の情報を言う。確かに上記に述べたのが知的財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
【発明の効果】
【００１７】
上述したように本先知的所有財産の先発明は、2008年の薄型テレビの価格に対しての日本社会の弱者国民の年間所得が上がらないままの薄型テレビなどの電気商品値上がりは、日本国民労働賃金の引き下げ事実からすれば、電気製品の価格は25年前より、最初に販売される価格が少なからず建設土木では、25年前の電気製品の三分の一まで引き下がった価格が本来2008年度の電気商品が、初めて売られる特許初年度価格だと考えなければ、弱者低所得層に日本ゼネラル電気会社と安くて使い良いテレビを販売する夢を提供出来る。
【００１８】
また、第8の課題解決手段の中に圧電素子磁石のガス固定技術が紹介され、更に第5の課題解決手段の特開2004ー304992号公報の技術の更なる説明として、図11と図20と図27と図31などの磁波による障害電波の自動修正とカメラで、画像をダイオードノーマル映像信号にして送信する際に使用する電気中に電気抵抗が、含まれて入るため、スムーズムなダイオードノーマル変換した電波送信の際の電気中の熱抵抗電気電波障害とテレビ波映像ノーマル信号を受信する際に使用する電気に電気抵抗が含まれて入るため、テレビ波映像ノーマル信号電気抵抗障害を取り除かない限り、水の如く綺麗に美しく済んだ画像を見る技術としはハイビジョン技術が、知られて入るが、これらハイビジョン技術を使用しないで、安い価格のハイビジョン同等又はそれに近い画像を、図24と図25の先発明事実によるネオンガス充電池IC回路チップに効果によって安くて綺麗なネオンガステレビ画像を提供する事を目的としている。              
【発明を実施するための形態】
【００１９】
以下本先知的所有財産先発明の試作実施の形態を図1から図8に基づいて説明する。
【００２０】
図1に於いては、(1)省エネルギー高画質テレビで有り(2)はテレビスイッチそして(3)テレビスピーカーそして(5)はテレビ電気コード配線であり(7)ブラウン官装置までがこれら装置は、今までと変わらぬテレビ装置であり、(6)機械式発電機は、機械部品とダイナモ装置の連続作動が出来る無害無給油の連続作動ダイナモ発電機で有り、(4)携帯システム送受信アンテナで有り、携帯電波でビデオ録画予約そして、(21)の不法侵入者監視カメラシステム装置は、携帯電話又は警備会社テレビカメラと電波回線がつながっており、赤外線カメラ及び温度認識カメラ魚眼カメラ普通カメラなどと携帯電話回線は、つながっており赤外線カメラのダイオードセンサーによって、携帯電話連絡の回線繋がり又はドアなどの入り口のカラー色ライトラインのダイオード読み込みセンサー又は電波センサーなどのスイッチによって、携帯電話連絡になり、(7)テレビ画像と(3)スピーカーを使用した不法侵入者の犯罪を軽くするためのテレビ画像及び(3)スピーカーからの呼びかけが出来る構造になっている携帯電話不法侵入者連絡監視装置。
【００２１】
図2に於いて、(1)省エネルギー高画質テレビであり、(5)テレビ電気コード配線であり(7)ブラウン官であり、(8)は、光りフアイバーブラウン官であり、ガラス官では短く出来ない長さまでブラウン官の長さを光りフアイバー官を使用して短くしたブラウン官装置であり、(9)
ブラウン官冷却材装置は、固形窒素などを使用している。
【００２２】
図3に於いて(10)は、(特開2004ー304992号公報参照。)。の圧電素子4電子磁気分割装置の使用説明図である。
コメント
2008年6月7日PM23時31分40秒眠たくなる完全に無駄な作業にしかならないので寝るカンキチ。
【００２３】
図4に於いて(11)は、図24から図27の映像ガス素子のネオンガスと充電池合成の回路ICチップの使用説明と圧電素子磁石とネオンガスと充電池素子体を合成した映像細微粒子ゴーストを取り除く為の合成回路チップ装置。
コメント
2008年6月8日AM6時58分5秒目が覚めてしまい起きる今朝もカレー早く終わらせて携帯だ
【００２４】
図5に於いて全てダルマ型ボタンデザインのテレビリモコン装置一番外の外周も、ダルマ型に変えればすべてダルマ型のテレビリモコン装置で有り(12)テレビチャンネルボタン装置であり(13)テレビ入力切り替えボタン装置であり(14)画面表示ボタン装置であり(15)消音ボタン装置であり(16)音量ボタン装置であり(17)二画面切り替えボタン装置であり(18)テレビ文字伝言ボタン装置であり(19)テレビ画像携帯電話文字電波書き込み呼び出しボタン装置であり(20)文字記録呼び出しボタン装置書くそれぞれのダルマスイッチ装置デザイン全てのデザインによって構成されているテレビリモコン装置。   
【００２５】
図6に於いて図1の(21)を拡大したのが図6の(21)の不法侵入者監視カメラシステム装置は、赤外線切り替えの通常カメラ(とつレンズと大レンズ主体のカメラ)そして温度認識カメラ切り替えの魚眼レンズカメラである。更にセンサー反応ライトは、カラー色ライトラインダイオード認識センサーの窓及びドアに取り付けられている不法侵入者防止センサーこの他電波センサーなどの反応によってカメラ作動及びライト作動及びテレビ作動及び携帯連絡及び防犯監視会社センサー反応連絡などが、各センサー反応で全自動作動出来て画像と音声で防犯電波連絡出来る装置。
【００２６】
図7に於いて超薄型のガス平面画像テレビ装置の説明である。(22)は、複数の正方形の圧電素子であり、(23)の絶縁体は(22)圧電素子の(24)プラス電極を除いた他全てが(23)絶縁体で絶縁されている。更に(22)それぞれの圧電素子は、少ない巻数のコイルを巻いた圧電素子電磁石で有り(22)複数圧電素子のテレビ画面になる(24)のプラス画面全体をネオンガスと固形窒素と電気の通るプラスチックを合成したパネルシートを(22)圧電素子磁石面に貼り(28)偏向回路映像プラス電波は、(22)の圧電素子磁石のプラス面つまり、(24)の複数圧電素子体の画像を写し出す部分に(28)偏向回路映像プラス電波の電気配線を繋げた装置で有り、図8の説明で、画像が写るまでの説明をする。
【００２７】
図8に於いて(26)のクリスタルガラステレビ画面装置は、図7の(22)の圧電素子全体を収納させる為のテレビクリスタル画面装置に中る部分で有り、図7の(22)圧電素子全体の面に対する部分と(26)クリスタルガラス全体は、1ミリ~2ミリ程度ネオンガスを入れるため空ける必要が有る。尚且つ(26)クリスタルガラス内側全体は、(29)偏向回路映像マイナス電波を流すため、(26)クリスタルガラス内側は、電気の通るプラスチックビニールもしくは、電気の通るグラスフアイバーを、(26)の全体もしくは、長方形状クリスタル画面の周囲の端1センチ程に電気の通るプラスチックを配置して(29)偏向回路映像マイナス電波を(26)クリスタルガラステレビ画面に(29)の偏向回路映像マイナス電波を流す事で、画像を写す段取りまで出来た事になる。                    その上で、(26)クリスタルガラス面と(22)複数圧電素子テレビ画面上に設けた透き間1ミリから2ミリの空間にネオンガスを入れて、(28,29,)の偏向回路映像ノーマル信号電気電波を流す事で、画像が写る構造説明であり、ネオンガス固定手段として、図7の圧電素子コイル全体に電気を流し更に図8の(22)の圧電素子は、(26)のクリスタルガラス周囲に複数圧電素子磁石配列して有り、ネオンガス固定の役目をしている装置説明でも有り図1~図8までの説明で、特許切れの古いガステレビを最先端技術の液晶テレビと肩を並べて競うための新しいガステレビ構造説明である。
【図面の簡単な説明】
【００２８】
【図１】省エネルギーガス高画質テレビの全面図。
【図２】光りフアイバーブラウン官の全面図。
【図３】圧電素子4電子磁気分割装置の使用用途説明図。
【図４】充電池素子体とネオンガス合成回路ICチップの使用用途説明図。
【図５】ダルマ型テレビリモコン装置の全体図。
【図６】不法侵入者監視カメラシステム装置の全体図。
【図７】複数圧電素子電磁石を主体とした固形窒素及びネオンガス及び電気の通るプラスチック合成の偏向回路映像プラス電気電波取り付けプラス映像波説明図。
【図８】クリスタルガラス偏向回路映像マイナス電気電波取り付けに対してのクリスタルテレビ画面を主体とした絶縁体接合複数圧電素子電磁石の並列説明図。
【図９】2002年平成14年栃木県真岡市の郵便局から北海道知事充てに出した先知的所有財産の送付事実原本写し説明図。
【図１０】2002年9月26日北海道庁が、墫野和夫の先知的所有財産の北海道民財産の広報公聴3ー183号の先発明著作権物の受理書原本の写し図。
【図１１】栃木県真岡市で先発明を略図説明した圧電素子4電子磁気分割を説明した先発明原本の写し図。
【図１２】栃木県真岡市で先発明を文書図面化した圧電素子4電子磁気分割を使用した超電導物質の考案と超電導デジタル回路原本説明図。
【図１３】栃木県真岡市で先発明の圧電素子4電子磁気分割装置を使用した装置によって電気製品に余分な熱エネルギー消耗を無くし熱エネルギーの再利用を図る事とした原本文書図。
【図１４】栃木県真岡市で先発明先考案した文書図面であり、圧電素子4電子磁気分割装置を利用したレーザー光画像の原本説明図。
【図１５】栃木県真岡市で先発明考案した圧電素子4電子磁気分割装置の陽電子と陰電子部分を利用したガス充電池の原本説明図である。
【図１６】栃木県真岡市で先発明したインターネットテレビの多重画像説明と大型テレビに、モーター作動の子機の液晶テレビの説明と縄型モーターの略図原本文章説明図。
【図１７】栃木県真岡市で先発明考案した二つ折液晶画像装置及び、光磁気記憶媒体とレーザー光による文字と絵が写る超薄型液晶装置及びレーザー光MDツース先考案とソーラーパネル型回路磁気パネル磁気記憶媒体の先考案原本文章説明図。
【図１８】栃木県真岡市で先考案した街並みの清掃美化掃除ロボットの内訳と圧電素子4電子磁気分割装置原本説明図。
【図１９】栃木県真岡市で先考案した2002年9月29日別のレーザーテレビの原本説明文書図。
【図２０】栃木県真岡市で2002年9月29日先発明考案のテレビシステムの原本文書図。
【図２１】栃木県真岡市で2002年9月29日先発明先考案のレーザーテレビの原本説明文書図。
【図２２】栃木県真岡市で2002年9月29日先考案のデジタルテレビアンテナの改良しなければならない点のあらい出し及び原本文書図。
【図２３】栃木県真岡市で2002年10月2日デジタルテレビとハイビジョンデジタルテレビの内訳構想文章説明図
【図２４】栃木県真岡市で2002年10月2日テレビの映像を作り得る新しい一つの物質回路がどうしてもほしくて、テレビガスに充電池素子の混合とした、先考案先発明主張する先発明原本文章説明図。
【図２５】栃木県真岡市で2002年10月2日のネオンガスと充電池素子体合成を墫野は、媒体と言うが経済新聞のNECの有機ELと判明だが今だ先発明未確認の先発明原本文章図。
【図２６】栃木県真岡市で2002年10月4日の液晶テレビのダイオード回路の圧電素子4電子磁気分割装置特開2004ー304992号広報の使用の有り方レーザー光有機EL液晶テレビの有り方の文章説明図。
【図２７】栃木県真岡市で2002年10月5日の特開2004ー304992号広報の圧電素子4電子磁気分割の使用方法と媒体有機ELの有り方と冷却窒素デジタル回路説明文章説明図。
【図２８】栃木県真岡市で2002年10月6日の日にイベント持ち運び用の折り畳み液晶又は画像装置の有り方の文章説明図。コメント2008年6月8日昼12時24分9秒昼食にする。美馬牛カンキチコメント2008年6月8日PM13時17分56秒カレーの残りを食べ夕食の野菜炒めも作って置くカンキチ
【図２９】栃木県真岡市2002年10月8日冷却テレビ回路の原本説明図
【図３０】栃木県真岡市2002年10月9日デジタル回路冷却窒素パネル説明と固形フロンパネルと固形窒素パネル説明と超電導固形窒素冷却シートの先考案と固形フロン冷却回路原本説明。
【図３１】栃木県真岡市2002年10月2日DVDを作らずMD作成に対してヘリュームネオン充電池素子合成媒体のちの有機EL説明と超電導媒体とネオンとヘリュームの合成媒体原本説明。
【図３２】2002年北海道道庁広報広聴第3ー188号北海道民財産先発明原本の受理書。
【図３３】2002年北海道道庁広報広聴第3ー193号北海道民財産先発明原本の受理書。
【図３４】2002年10月7日北海道知事へ真岡市郵便局から先発明原本を送った証明写し図。
【図３５】2002年10月17日北海道知事へ真岡市郵便局から先発明原本を送った証明写し図。
【図３６】2002年10月21日北海道知事へ真岡市郵便局から先発明原本を送った証明写し図。
【図３７】2001年5月10日北海道道庁広報広聴第3ー37号北海道民財産の先発明原本の受理書。
【図３８】2001年4月29日北海道民財産の形態電話から家庭内の水道栓ガス栓を電波によってまたは音声によって閉める方法の文章説明図。
【図３９】2001年4月30日北海道民財産の永久電池の概要説明と魚眼レンズの画像修正の有り方説明文章図。
【図４０】平成15年1月6日岩手県胡四王簡易郵便局から墫野和夫の先知的所有財産の確認の為に東京都日本消費者連合殿へ送ったゆうパック領収書
【図４１】平成15年1月6日岩手県胡四王簡易郵便局から墫野和夫の先知的所有財産の確認の為に東京都NHKふれあいセンーター殿へ送ったゆうパック領収書
【図４２】平成15年1月6日岩手県胡四王簡易郵便局から墫野和夫の先知的所有財産の確認の為にアムネスティインターナショナル支部殿へ先知的所有財産を送ったゆうパック領収書
【図４３】平成15年1月6日岩手県胡四王簡易郵便局から墫野和夫の先知的所有財産の確認の為に東京都日本共産党委員会志位和夫殿へ先知的所有財産を送ったゆうパック領収書
【図４４】平成15年3月20過ぎ頃日岩手県胡四王簡易郵便局から墫野和夫の先知的所有財産の確認の為に東京都社民党本部土井高子殿へ先知的所有財産を送ったゆうパック領収書
【図４５】平成16年1月4日旭川市中央郵便局から墫野和夫の先知的所有財産の確認の為に東京都民主党本部民主党党首殿へ先知的所有財産を送ったゆうパック領収書
【符号の説明】
【００２９】
1  省エネルギー高画質テレビ(特開2004ー304992号公報の電気中の電気抵抗を取り除く装置による電気消費の削減)
2  テレビスイッチ
3  テレビスピーカー
4  携帯システム送受信アンテナ         
5  テレビ電気コード配線
6  機械式発電機    (特開2003ー328925号公報の機械式発電機と特開2006ー254697号公報の二連振り子型機械式発電機)
7  ブラウン官
8  光りフアイバーブラウン官    
9  ブラウン官冷却材装置
10 圧電素子4電子磁気分割の活用説明図
11 映像ガス並びネオンガス充電池素子体合成IC回路チップ及び充電池有機EL圧電素子合    成IC回路チップの活用説明図
12 テレビチャンネルボタン
13 入力切り替えボタン
14 画面表示ボタン
15 消音ボタン
16 音量ボタン
17 二画面切り替えボタン
18 テレビ文字伝言装置ボタン
19 テレビ画像携帯電話文字電波書き込み呼び出しボタン
20 文字記録呼び出しボタン
21 不法侵入者監視カメラシステム装置
22 ネオンガステレビ圧電素子磁石,ネオンガス固定ブロック
23 圧電素子磁石ブロック (ネオンガス固定)
24 圧電素子電磁石コイルプラス配線
25 圧電素子電磁石コイルマイナス配線
26 テレビクリスタルガラス画面
27 電気の通るプラスチック配線
28 偏向回路映像プラス電波配線
29 偏向回路映像マイナス電波配線
30 テレビ画像サイドライト
【図１】
2012094548.tif 000003
【図２】
2012094548.tif 000004
【図３】
2012094548.tif 000005
【図４】
2012094548.tif 000006
【図５】
2012094548.tif 000007
【図６】
2012094548.tif 000008
【図７】
2012094548.tif 000009
【図８】
2012094548.tif 000010
【図９】
2012094548.tif 000011
【図１０】
2012094548.tif 000012
【図１１】
2012094548.tif 000013
【図１２】
2012094548.tif 000014
【図１３】
2012094548.tif 000015
【図１４】
2012094548.tif 000016
【図１５】
2012094548.tif 000017
【図１６】
2012094548.tif 000018
【図１７】
2012094548.tif 000019
【図１８】
2012094548.tif 000020
【図１９】
2012094548.tif 000021
【図２０】
2012094548.tif 000022
【図２１】
2012094548.tif 000023
【図２２】
2012094548.tif 000024
【図２３】
2012094548.tif 000025
【図２４】
2012094548.tif 000026
【図２５】
2012094548.tif 000027
【図２６】
2012094548.tif 000028
【図２７】
2012094548.tif 000029
【図２８】
2012094548.tif 000030
【図２９】
2012094548.tif 000031
【図３０】
2012094548.tif 000032
【図３１】
2012094548.tif 000033
【図３２】
2012094548.tif 000034
【図３３】
2012094548.tif 000035
【図３４】
2012094548.tif 000036
【図３５】
2012094548.tif 000037
【図３６】
2012094548.tif 000038
【図３７】
2012094548.tif 000039
【図３８】
2012094548.tif 000040
【図３９】
2012094548.tif 000041
【図４０】
2012094548.tif 000042
【図４１】
2012094548.tif 000043
【図４２】
2012094548.tif 000044
【図４３】
2012094548.tif 000045
【図４４】
2012094548.tif 000046
【図４５】
2012094548.tif 000047